(57)【要約】手術用ガウンのような防護衣類（１０）は、袖（１６）を備えた衣類本体を含む。袖口（２６）は、袖（１６）のそれぞれの端に固定される。周方向に延びるバンド（４０）が、袖又は袖口の端から離れた所に位置される。バンド（４０）は、バンドの上にかぶせられた手袋の端が、バンドを超えて更に袖（１６）の下方に向かって丸められたり、又は滑り落ちることを阻止するような、隆起した外形を持っている。バンド（４０）は、低粘着表面変成剤より形成される。袖（１６）は、バンド（４０）と、袖口（２６）又は袖の端との間の領域に施される、低粘着性接着剤のような表面変成剤の、コーティング又は付与を含む。
2005507467.tif 000002
【特許請求の範囲】
【請求項１】
袖を形成した衣類本体と、
前記袖のそれぞれの端に固定された袖口と、
前記袖口から離れた位置で周方向に伸びるように前記袖上に施された第一の低粘着性材料のバンドと、
を含み、前記バンドは、隆起した外形をしており、前記バンドにかぶせた手袋の端が、前記バンドの上で丸まって又は滑って落ちるのを阻止するようになったことを特徴とする、防護衣類。
【請求項２】
前記衣類本体は、手術着であることを特徴とする請求項１に記載の防護衣類。
【請求項３】
前記バンドは、前記袖上に少なくとも部分的に接着剤を施すことにより形成されることを特徴とする請求項１に記載の防護衣類。
【請求項４】
前記バンドは、前記袖の周りで連続していることを特徴とする請求項１に記載の防護衣類。
【請求項５】
前記バンドは、前記低粘着性材料の、少なくとも１つの連続するリングから成ることを特徴とする請求項４に記載の防護衣類。
【請求項６】
前記バンドは、前記低粘着性材料の複数のリングから成ることを特徴とする請求項４に記載の防護衣類。
【請求項７】
前記バンドは、前記袖の周りで非連続であることを特徴とする請求項１に記載の防護衣類。
【請求項８】
少なくとも前記袖口と前記バンドの間の前記袖に、第二の低粘着性材料が更に配置されることを特徴とする請求項１に記載の防護衣類。
【請求項９】
前記第一及び第二の低粘着性材料は、同じ材料であることを特徴とする請求項８に記載の防護衣類。
【請求項１０】
前記低粘着性材料は、接着剤であることを特徴とする請求項９に記載の防護衣類。
【請求項１１】
袖を形成した衣類本体と、
前記袖の末端から離れた位置で周方向に伸びるように前記袖上に形成されたバンドと、
を含み、前記バンドは隆起した外形をしており、前記バンドにかぶせた手袋の端が、前記バンドの上で丸まって又は滑って落ちるのを阻止するようになったことを特徴とする防護衣類。
【請求項１２】
前記バンドは、前記袖の表面に表面変成材料を施すことにより形成されることを特徴とする請求項１１に記載の防護衣類。
【請求項１３】
前記表面変成剤は、前記バンドの表面摩擦を高めることを特徴とする請求項１２に記載の防護衣類。
【請求項１４】
前記表面変成剤は、接着剤であることを特徴とする請求項１３に記載の防護衣類。
【請求項１５】
前記表面変成剤は、前記バンドから末端部にかけての前記袖に更に施されることを特徴とする請求項１３に記載の防護衣類。
【請求項１６】
前記バンドは、前記袖の周りで連続していることを特徴とする請求項１１に記載の防護衣類。
【請求項１７】
前記衣類本体は、手術着であることを特徴とする請求項１１に記載の防護衣類。
【請求項１８】
更に、前記袖の末端に袖口が構成され、前記バンドが前記袖口に近接して位置することを特徴とする請求項１１に記載の防護衣類。
【請求項１９】
袖を備える手術用ガウン本体と、
前記袖のそれぞれの端に固定された袖口と、
前記袖口に近接して前記袖の周りに延びる低粘着性材料の領域と、
前記袖口に近接して周方向に延びるように前記袖に形成され、隆起した外形を持ち、前記バンドにかぶせた手袋の端が前記バンドの上で丸まって又は滑って落ちるのを阻止するようになったバンドと、
を含むことを特徴とする手術用ガウン。
【請求項２０】
前記バンドは、前記低粘着性材料の領域に近接した端に位置することを特徴とする請求項１９に記載の手術着。
【請求項２１】
前記バンドは、前記低粘着性材料の少なくとも一部分に形成されることを特徴とする請求項１９に記載の手術着。
【請求項２２】
前記バンドは、前記袖の周りで連続していることを特徴とする請求項１９に記載の手術着。
【請求項２３】
前記バンドは、前記低粘着性材料の少なくとも１つのリングから成ることを特徴とする請求項２２に記載の手術着。
【発明の詳細な説明】
【技術分野】
【０００１】
本発明は、一般的に、例えば、手袋を備えた手術用ガウンのような、手術用手袋と共に使用される防護衣類に関する。
【背景技術】
【０００２】
カバーオール及びガウンのような、着用者にバリア防護を施すことを意図した防護衣類が当業者に知られている。このような防護衣類は、着用者が特定の周囲環境から隔離されることが望まれるか、又は、着用者の衣類を通して、危険な液体及び生物学的汚染の通過を阻止し又は遅らせることが望まれるような状況の下で使用される。
【０００３】
医療及び健康管理産業にとって、特に手術手順において一番の関心事は、担当医師が、血液、唾液、汗などのような患者の体液から隔離されることである。防護衣類は、衣類に使用される布のバリア特性、及び、衣類の構成とデザインに頼っている。特に、縫い目又は開口が、応力を受け、及び／又は直接接触するかもしれない位置に置かれる時、衣類の開口又は縫い目は、不満足なものとなるであろう。
【０００４】
特に医療産業においては、手袋は通常防護衣類と組み合わせて着用される。典型的に、手袋は、ガウン又は衣類の袖口及び袖の上にかぶせられる。しかしながら、手袋と防護衣類の間の界面が問題の領域である。例えば、手術用手袋についての共通の問題は、手袋が「丸まってしまうこと」又は、手袋の内側と手術用ガウンの袖との間の界面摩擦が低いため手袋が滑り落ちることである。手袋が丸まったり袖を滑り落ちると、着用者は、患者の体液を浴び、及び／又は他の汚染により大きな危険に曝される。
【０００５】
手術用手袋の使用に関連した付加的問題点は、手袋がガウンの袖口及び袖上にかぶせられた結果、「チャネリング」と言われる現象が起きることである。すなわち、手袋を袖口及び袖上にかぶせ、引っ張り上げた結果、ガウンの袖が手袋の下でひだ状になることである。チャネルは着用者の手首に沿ってでき、ガウンの袖の外側を患者の体液が流れ落ちることができるようになる。このような体液は、チャネルに入り込み、ガウンの外側表面と手術用手袋の内側表面との間のチャネルに沿って流れ落ちる。次いで、体液は、着用者の手首又は前腕部に直接接触しているガウンの袖口を汚染し、特に袖口が吸収体又は体液透過性である時にはそのようなことが起る。
【０００６】
外科医及び他の医療関係者は、種々の方法で手袋とガウンとの界面における問題に対処してきた。例えば、袖上の手袋にチャネル及び丸まりができるのを避けるために、手袋のガウン袖上に広がる部分のまわりに、粘着テープを巻いて使用することが一般的な習慣となっている。しかしながらこの方法は、難点がある。テープに使用されている一般的な接着剤の多くは、水分及び体液に曝されて、シールが処置の間に破壊される可能性がある。更に、手袋及び袖の周りにゴムバンドを巻くこともある。しかしながら、この手法は、実行するのが厄介で、異なるサイズ及び張力の種々のゴムバンドを利用できるようにすること以外では、ゴムバンドにより加えられる圧力を調整し又は変えることが困難である。
【０００７】
このように、防護衣類の手袋と袖の間に効果的な密封界面を、容易に防護衣類に組み込まれ、実行及び実践するのに経済効率の良い形で提供する、改善された装置及び方法の必要性がある。
【発明の開示】
【発明が解決しようとする課題】
【０００８】
本発明の目的及び利点は、一部は以下の説明において述べられ、又は説明より明らかとなり、或いは本発明の実施を通して学ぶことができる。
【０００９】
本発明は、衣類の袖と袖上にかぶせた手袋との間の界面領域を改善する、効果的及び経済的な機構を組み込んだ防護衣類を提供する。該改善は、手袋の近位端が、一度着用者が手袋をはめた時に、衣類の袖上で丸まったり又は滑り落ちたりすることを阻止するものである。このようにして、本発明による衣類は、上述した従来の衣類における少なくとも幾つかの不都合な点に対処する。
【００１０】
本発明は、手術用ガウンとして特に有効であるが、本発明は、手術用ガウン又は医療産業の範囲に限られるものではない。本発明による防護衣類は、広い用途をもつもので、防護カバーオール、ガウン、ローブなどが手袋と共に使用される場合であればどんな場合でも使用することができる。このような全ての使用及び衣類は、本発明の範囲内であると想定されている。
【００１１】
本発明の１つの実施形態において、防護衣類は衣類本体を持つ構成である。衣類は、例えば、手術用ガウン、防護カバーオールなどである。衣類本体は袖を含み、該袖は、その末端に袖口が位置している。袖口は、弾性材料から形成されるか、又は弾性材料を含むものとすることができ、液体保持性又は液体不透過性とすることができる。
【００１２】
本発明の広義の態様においては、袖の末端又は袖口の端に近い部分から離れて袖上で周方向に延びるように、バンドが形成される。バンドの上にかぶせられた手袋の端が、バンド上で丸まったり又は滑ったりして袖から落ちるのを阻止するように、このバンドは袖材料に対して、隆起した外形をしている。従来の手術用手袋及び他の形式の伸長可能な防護手袋は、その末端に厚みを持った部分又は「ロール」を持っていることが多い。本発明は、袖の端から離れた所に隆起した外形のバンドを組み込むという手法で、この特徴を利用している。着用者は、衣類の袖上に袖を覆うように隆起した外形を持つバンドを手袋の末端が超えるまで、手袋をかぶせる。したがって、バンドは、「緩衝器」又はストップとしての役割を果たし、手袋が衣類の袖上で滑り又は丸まり始める時、手袋の厚みを持った部分がバンドに接触し、このようにして袖上の手袋のそれ以上の動きを阻止する。
【００１３】
隆起した外形のバンドは、様々な形態が可能であることが認識されるであろう。例えば、１つの実施形態において、バンドは、例えば１つ又はそれ以上の隆起したリングの形で、袖の周りに連続して形成することができる。別の実施形態においては、バンドは、例えばビード又はバンプのリングの形で、袖の周りに非連続にすることができる。他の多くの形態が同様に適している。
【００１４】
１つの特定の実施形態において、隆起した外形のバンドは、例えば、スプレー塗布、コーティングなどにより衣類布に施された、表面変成材料から形成される。この材料は、手袋及びバンド間の表面摩擦を高める（増加する）型のものとすることができる。例えば、バンドは、袖に施された低粘着性接着剤により形成することができる。
【００１５】
更なる実施形態においては、表面変成剤、特に低粘着性材料は、隆起した外形のバンドと、袖の末端又は袖口の近位端との間の袖の領域に施すことが望ましい。この付加的材料は、手袋と袖の間の界面摩擦を更に増加させるものとなるであろう。
【００１６】
バンド及び／又は袖に施される「低粘着性」材料は、ガウンを折りたたんだ時にガウン本体への袖の接着を生じないものでありながら、手袋の丸まりを妨げるような高摩擦特徴を持った、固有の低粘着性の物質が望ましい。
【００１７】
本発明による防護衣類の実施形態は、添付図を参照してより詳しく以下に説明される。
【発明を実施するための最良の形態】
【００１８】
図に示されている本発明の１つ又はそれ以上の実施例について、詳細を以下に述べる。個々の実施例は、本発明を限定するものではなく、本発明を説明するために提供されるものである。例えば、１つの実施形態の部分として示され、又は説明された特徴を、別の実施形態において利用し更に別の実施形態とすることができる。説明された実施形態の他の修正及び変更は、本発明の範囲及び意図に含まれるものと考えられる。
【００１９】
図１は、本発明による防護衣類１０を示したものである。衣類１０は、主本体部分１２、首部分１４、及び縫い目１８で主本体部分１２に取り付けられた袖１６（１つの袖が示されている）を含む。袖１６は、主本体部分１２に一体化した部品として形成されている。個々の袖１６は、上方端すなわち近位端２０、下方の末端２２、及び外部表面２４を含む。
【００２０】
衣類１０は、示された目的だけのために手術用ガウンとして描かれている。衣類１０は、一般的に、身体の周囲に着用される、防護的に巻きつけるものの型又はスタイルをしている。
【００２１】
ここで用いられる「下方」又は「末端」という用語は、着用者の手により近いという特徴を意味する。「上方」又は「近位」という用語は、着用者の肩により近いという特徴を意味する。
【００２２】
衣類１０に使用される布又は材料の形式は、本発明の限定要因ではないと認識すべきである。衣類１０は、廃棄可能な使用に適した不織材料を含む、多くの材料から作ることができる。例えば、衣類１０のガウン実施形態は、ガウンが、ガウン着用の間破れることがより少ないように、伸長可能な不織材料により作ることができる。本発明の使用に特によく適した材料は、ＳＭＳとして知られている、３層不織ポリプロピレン材料である。「ＳＭＳ」とは、スパンボンド、メルトブローン、スパンボンドの頭文字で、３層が形成され、次いで互いに積層される方法である。実施例として、Ｂｒｏｃｋ他の米国特許第４，０４１，２０３号を参照されたい。１つの特定の利点として、ＳＭＳ材料は、増進された体液バリア特性を示すことである。しかしながら、織布、フィルム、発泡体／フィルム積層体、及びそれらの組み合わせを含む他の不織布並びに他の材料を、本発明の衣類を形成するのに使用することができる。衣類は、衣類材料内に体液が吸収されるのを防ぐために、液体不透過性コーティングで被膜されることが考えられる。
【００２３】
袖１６は、その末端２２に取り付けられた袖口２６を備えることができる。袖口は、末端２８及び近位端３０を持つ。袖口２６で使用される形態及び材料は、広く様々な種類に及ぶ。例えば、編み材料で作られた短く、しっかりと適合する袖口を備えることができる。袖口２６は、ゴム編みを使用して、又は使用しないで形成することができる。袖口は、液体撥水材料又は、液体保持材料により形成することができる。本発明による衣類に使用するのに適した袖口は、米国特許第５，５９４，９５５号及び第５，６８０，６５３号に記載されており、いずれもその全体が、すべての目的について引用によりここに組み入れられる。
【００２４】
図２−５に実施例として示すように、防護衣類は手袋と共に使用されることがよくあり、例えば、手術用手袋３２が、着用者の手の上にかぶせられ、手袋３２の近位部分が、袖口２６及び袖１６の一部分に重なるような十分な長さを持つ。このようにして、手袋内部表面と、袖１６及び袖口２６の外部表面２４との間に界面が作られる。この界面領域は、望ましくない体液又は他の汚染物質が、袖口２６又は着用者の手３４に向かって袖１６を流れ落ちるのを阻止することが好ましい。しかしながら、手袋内部表面と袖外部表面との間の界面摩擦が、袖口２６の上部の位置に手袋を維持するのに不十分な時は、手袋の滑り落ち又は丸まってめくり上がる現象が起きる。手袋の丸まってめくり上がる現象が起きるとき、着用者が、汚染物質に曝される危険が大きくなり、特に手術中においては危険である。
【００２５】
多くの形式の防護手袋、特に弾性合成ゴム又は天然ゴムの手術用手袋は、開口した近位端３６に厚みのあるビード又は領域を持つ。この厚みのある部分又はビードは、手袋３２を強化する目的があり、更に手袋３２を袖１６の上に保持するための弾性張力を増加する領域を提供する。本発明は、手袋のこの特徴を利用するものである。
【００２６】
本発明の１つの実施形態によると、衣類１０は、袖口２６の近位端３０から離れた袖１６上に、円周状に伸びる「バンド」４０を含む。バンド４０は、通常の着用及び手袋の使用において、手袋３２の厚みのある近位端３６がバンド４０を超えて伸びるように、袖口２６から離れた所に位置する。バンド４０は、袖１６の周囲にリッジ又はバンプを形成するため、バンド４０のそれぞれの側に、袖１６の外部表面２４と比較すると、隆起した外形を持つ。このようにバンド４０は、手袋が、手袋の外部表面２４を滑り落ちようとする時、手袋３２の厚みのある近位端３６が接触する面に対し、緩衝器又はストップとして働く。バンド４０の隆起した外形は、手袋３２の滑り落ち又は丸まってめくれる現象を更に阻止する。
【００２７】
バンド４０は、多くの異なった形態をとることが可能であると認識されるであろう。例えば、バンド４０は、連続したリング４２（図２）又は複数のリング４２ａ―４２ｂ（図３）のように、袖１６の周囲に連続した状態である。バンドは、ビーズのリング４４（図４）又は、ビーズ又は断続部分４６（図５）の幅広いストリップのように、袖１６の周囲に連続しない状態である。隆起した外形のバンド４０の特定の構造的形態は、概して周囲へ伸びる、全体的に隆起した外形を持つ部分又は領域が提供され、該隆起した外形が手袋の滑り落ち又はロールダウンを阻止する限り、広く様々な種類をとることができる。
【００２８】
バンド４０は、様々な種類の知られた方法で、及び様々な種類の材料から袖の上に形成される。例えば、袖材料に適合した表面変成剤は、スプレー塗布、印刷、スロットコーティング、又は他の従来の方法により、袖に直接施される。
【００２９】
手袋内部表面と袖外部表面との間の界面摩擦を更に増加するために、バンド４０は、低粘着性熱溶融接着剤のような、高い摩擦特徴を持つ、非固有的低粘着材料から形成される。このタイプの材料は、手袋と袖１６間の滑り抵抗を増加させ、隆起した外形のバンド４０を形成するために、袖の外部表面２４に直接施される。概して、表面変成剤は、手袋３２の内側表面に粘着するように、十分に柔軟で、かつしなやかなポリマーである。同時に、ポリマーは、衣類１０が折りたたまれた時、衣類袖１６が衣類本体１２に接着しないように、あまり高い粘着レベルを持つべきではない。ポリオレフィンを基礎としたメタロセン（すなわち、Ｄｏｗ  ＸＵ  ５８３８０．０１Ｌ）のようなポリマーが適した例である。他の適した表面変成剤として、例えば、エチレンビニールアセテート・コポリマー、スチレン・ブタジエン、セルロースアセテート酪酸塩、エチルセルロース、合成ゴム、例えば、Ｋｒａｙｔｏｎｔｍブロックコポリマー、天然ゴム、ポリエチレン、ポリアミド、かとう性ポリオレフィン及び無定形ポリアルファオレフィンを含む。この用途に適した商業用の熱溶融接着剤は、テキサス州、オデッサに在住する、Ｈｕｎｔｓｍａｎ  Ｐｏｌｙｍｅｒｓ  Ｃｏｒｐ．のＲＥＸｔａｃ（Ｒ）２１１５ＡＰＡＯ（Ａｍｏｒｐｈｏｕｓ  ＰｏｌｙＡｌｐｈａ  Ｏｌｅｆｉｎ）である。
【００３０】
手袋３２と袖１６間の摩擦抵抗を更に高めるために、図３−５に示されるように、袖口２６に近い袖１６の部分上に、表面コーティング４８として、低粘着表面変成剤を施すことが望ましい。このコーティング４８は、フィルム層又はコーティングのように、連続するものでも良いし、又は印刷パターンのように連続しないものでも良い。コーティング４８は、スプレー塗布、印刷、コーティング、又は他の従来の方法を含む幾つかの適切な方法により施される。このコーティング４８は、隆起した外形のバンド４０を形成するのに使用したのと、同じ低粘着性表面変成剤か又は異なる表面変成剤でも構わない。コーティング４８は、手袋が普通に着用される時、手袋３２が延びる近位端３６より更に遠い所にまで延び、袖１６に施される。
【００３１】
本発明の範囲又は思想から離れることなく示され及び説明された、本発明の実施形態についての種々の修正及び変更が成され得る事が、当業者により認識されるであろう。本発明は、添付した特許請求の範囲と同等の意味及び範囲で成される修正及び変更を含むものである。
【図面の簡単な説明】
【００３２】
【図１】本発明による防護衣類の実施形態の一部分の側面図である。
【図２】本発明の実施形態による衣類袖の一部の斜視図である。
【図３】本発明の実施形態による代替的な衣類袖の一部の斜視図である。
【図４】本発明の実施形態によるもう１つの衣類袖の一部の斜視図である。
【図５】本発明の実施形態による更に異なる衣類袖の一部の斜視図である。
【符号の説明】
【００３３】
１０  衣類
１２  本体部
１４  首部
１６  袖
２０  上方端
２２  下方端
２４  外部表面
２６  袖口
２８  末端
３２  手袋
３４  手
３６  開口近位端
４０  バンド
４２  リング
４４  ビード
４６  断続部分
４８  コーティング
【国際公開パンフレット】
2005507467.tif 000003
2005507467.tif 000004
2005507467.tif 000005
2005507467.tif 000006
2005507467.tif 000007
2005507467.tif 000008
2005507467.tif 000009
2005507467.tif 000010
2005507467.tif 000011
2005507467.tif 000012
2005507467.tif 000013
2005507467.tif 000014
2005507467.tif 000015
2005507467.tif 000016
2005507467.tif 000017
2005507467.tif 000018
【国際調査報告】
2005507467.tif 000019
2005507467.tif 000020